(57)【要約】【課題】蓋と洗浄槽の間のシール性を大幅に向上した食器洗い機を実現する。【解決手段】洗浄槽２の開口部と蓋１０をシールするパッキング１１は、洗浄槽２側に固定するアンカー部１２と蓋１０とのシール部を設け、前記シール部は、断面略く字形状の第１のリップ１６と、前記第１のリップ１６のく字形状の中心部から略直線状に延びた第２のリップ１７を設けた形状とし、前記パッキング１１と相対する位置の蓋１０の外周にはパッキング１１と当接する突起を２段に設け、洗浄槽２内方側の第１の突起１８をその外方側に設けた第２の突起１９よりも高くしたものである。【選択図】図１
2005342386.tif 000002
【特許請求の範囲】
【請求項１】
前方に開口部を有する洗浄槽と、前記開口部を開閉自在に覆う蓋と、前記洗浄槽の開口部の左右壁に取り付け前記蓋とのシールをするパッキングを備え、前記パッキングは洗浄槽側に固定するアンカー部と蓋とのシール部を設け、前記シール部は断面略く字形状の第１のリップと、前記第１のリップのく字形状の中心部から略直線状に延びた第２のリップを設けた形状とし、前記パッキングと相対する位置の蓋の外周にはパッキングと当接する突起を２段に設け、洗浄槽内方側の第１の突起を外方に設けた第２の突起よりも高くした食器洗い機。
【請求項２】
シール部は、第１のリップの変位量を第２のリップの変位量より大きくなるように形成した請求項１記載の食器洗い機。
【請求項３】
シール部は、第１のリップが変位したとき、第１の突起に当接した第２のリップと、前記第１の突起より低い第２の突起とで形成される空間に収容されるようにした請求項１または２記載の食器洗い機。
【発明の詳細な説明】
【技術分野】
【０００１】
本発明は、食器等の被洗浄物に洗浄水を噴射して洗浄する食器洗い機に関するものである。
【背景技術】
【０００２】
従来の食器洗い機は図２及び図３に示すように構成していた。以下、その構成について説明する。食器洗い機本体１内部に洗浄槽２を設け、前記洗浄槽２内部には食器３を効率よく配置できる食器かご４が配置されている。洗浄水は洗浄槽２底部に設けた排水孔５から吸い込まれ、モータ６により駆動される洗浄ポンプ７で圧送され、洗浄ノズル８から勢い良く噴射して食器３を洗う構成としている。そして洗浄水の温水化や乾燥時のために洗浄槽２下部にヒータ９を配置している。
【０００３】
また、洗浄槽２の前方にはその開口部を開閉自在に覆う蓋１０を取り付けている。そして洗浄槽２の左右壁にはパッキング１１のアンカー部１２を洗浄槽２の溝１３に取り付け、シール部１４の断面は略リップ形状とし、蓋１０に設けたリブ１５に当接させて洗浄槽２との間をシールする構成としている（例えば、特許文献１参照）。
【特許文献１】特開２００１−２９２９４８号公報
【発明の開示】
【発明が解決しようとする課題】
【０００４】
しかしながら、このような従来の構成では、リップ形状のパッキング１１が上から下まで全ての部分で完全に蓋１０に当接していないと、高圧で噴射される洗浄水が漏れるという課題があった。
【０００５】
本発明は、上記従来の課題を解決するもので、シール性を大幅に向上した食器洗い機を提供することを目的としている。
【課題を解決するための手段】
【０００６】
上記の目的を達成するために本発明は食器洗い機は、洗浄槽の開口部と蓋をシールするパッキングは、洗浄槽側に固定するアンカー部と蓋とのシール部を設け、前記シール部は断面略く字形状の第１のリップと、前記第１のリップのく字形状の中心部から略直線状に延びた第２のリップを設けた形状とし、前記パッキングと相対する位置の蓋の外周にはパッキングと当接する突起を２段に設け、洗浄槽内方側の第１の突起を外方に設けた第２の突起よりも高くしたものである。
【０００７】
これにより、万一、第１のリップが蓋と当接しない部分が発生した場合でも、第２のリップが蓋と当接し、シール性が大幅に向上するものである。
【発明の効果】
【０００８】
本発明の食器洗い機は、パッキングのシール部を２重に構成することができ、シール性を大幅に向上した食器洗い機を実現することができる。
【発明を実施するための最良の形態】
【０００９】
第１の発明は、前方に開口部を有する洗浄槽と、前記開口部を開閉自在に覆う蓋と、前記洗浄槽の開口部の左右壁に取り付け前記蓋とのシールをするパッキングを備え、前記パッキングは洗浄槽側に固定するアンカー部と蓋とのシール部を設け、前記シール部は断面略く字形状の第１のリップと、前記第１のリップのく字形状の中心部から略直線状に延びた第２のリップを設けた形状とし、前記パッキングと相対する位置の蓋の外周にはパッキングと当接する突起を２段に設け、洗浄槽内方側の第１の突起を外方に設けた第２の突起よりも高くしたことにより、万一、第１のリップが蓋と当接しない部分が発生したとしても第２のリップが蓋と当接するため、洗浄槽の開口部を閉じた状態で確実にシールを行うことができ、シール性を大幅に向上させることができる。
【００１０】
第２の発明は、シール部は、第１のリップの変位量を第２のリップの変位量より大きくなるように形成したことにより、第１のリップと第２の突起によるシール効果を高めることができる。
【００１１】
第３の発明は、シール部は、第１のリップが変位したとき、第１の突起に当接した第２のリップと、前記第１の突起より低い第２の突起とで形成される空間に収容されるようにしたことにより、第２の突起により押圧されて変位した第１のリップが第２のリップに干渉することがなく、第２のリップと第１の突起によるシールを良好にすることができる。
【００１２】
以下、本発明の実施の形態について、図面を参照しながら説明する。なお、従来例と同構成のものは同一符号を付しその説明を省略する。また、この実施の形態によって本発明が限定されるものではない。
【００１３】
（実施の形態１）
図１は、本発明の実施の形態１における食器洗い機の要部断面図で、蓋１０と洗浄槽２をシールする部分の拡大断面図である。図１において、１１は洗浄槽２の内方に設けたパッキングで、アンカー部１２を洗浄槽２の取り付け溝１３に挿入して固定している。また、その先端のシール部には断面略く字形状の第１のリップ１６と、この第１のリップ１６のく字形状の中心部から略直線状に延びた第２のリップ１７を設けている。
【００１４】
また、このパッキング１１と相対する位置の蓋１０の外周には、洗浄槽２内方側へ突出させた突起を２段に設け、その高さが異なるようにしている。洗浄槽２内方側へ突出させた第１の突起１８は、洗浄槽２の外方側に設けた第２の突起１９よりも高く構成してあり、蓋１０を閉じたときに第２のリップ１７の先端部に当接するようにしている。
【００１５】
上記構成において、蓋１０を閉めるとパッキング１１の第１のリップ１６が蓋１０の第２の突起１９に当接し、洗浄槽２の内方側へ所定量変位してシールする。また、パッキング１１の第２のリップ１７が蓋１０の第１の突起１８に当接して洗浄槽２の内方側へ所定量変位し、第１のリップ１６とともに２重のシール構成となる。そのため、万一、２つあるリップの一方が変形や異物のかみ込みによってシール性が損なわれても、他方のリップでシールすることができ、大幅にシール性を向上させることができる。
【００１６】
なお、第１のリップ１６の変位量を第２のリップ１７の変位量より大きくなるように形成してあり、第１のリップ１６と第２の突起１９によるシール効果を高めることができる。また、変位した第１のリップ１６は、第１の突起１８に当接した第２のリップ１７と、第２の突起１９とで形成される空間Ａに収容されるように構成してあり、第２の突起１９により押圧されて変位した第１のリップ１６が第２のリップ１７に干渉することがなく、第２のリップ１７と第１の突起１８によるシールを良好にすることができる。
【産業上の利用可能性】
【００１７】
以上のように、本発明にかかる食器洗い機は、パッキングのシール部を２重に構成することにより、第１のリップ部のシール性が悪化しても第２のリップ部でバックアップするため、シール性を大幅に向上した食器洗い機を実現することが可能となるので、食器等の被洗浄物に高圧の洗浄水を噴射して洗浄する食器洗い機等として有用である。
【図面の簡単な説明】
【００１８】
【図１】本発明の実施の形態１の食器洗い機の要部拡大断面図
【図２】従来の食器洗い機の縦断面図
【図３】同食器洗い機の要部拡大断面図
【符号の説明】
【００１９】
２  洗浄槽
１０  蓋
１１  パッキング
１２  アンカー部
１６  第１のリップ
１７  第２のリップ
１８  第１の突起
１９  第２の突起
【図１】
2005342386.tif 000003
【図２】
2005342386.tif 000004
【図３】
2005342386.tif 000005